(57)【要約】【課題】コア構造を有する芯材の周囲に木材そのものからなる芯材を配することなく、紙を主な由来とする原料のみを使用し、蝶番等の設置のためのビス止め強度を高めることができ、かつ、コア構造を有する芯材の表面に芯影が浮き上がることのない、環境にやさしくかつ設置の利便性に優れ、外観の見栄えの良いパネルを提供すること。【解決手段】コア構造を有する芯材と、該芯材の表面に貼られた紙層と、該紙層の表面に貼られた化粧板とからなる。【選択図】図１
2010106497.tif 000002
【特許請求の範囲】
【請求項１】
コア構造を有する芯材と、該芯材の表面に貼られた紙層と、該紙層の表面に貼られた化粧板とからなるパネル。
【請求項２】
１または複数重ねあわされた第一の紙層と、該第一の紙層の両表面に貼られたコア構造を有する芯材と、該芯材の表面に貼られた第二の紙層と、該第二の紙層の表面に貼られた化粧板とからなるパネル。
【請求項３】
コア構造を有する第一の芯材と、該第一の芯材の両表面に貼られた１または複数重ねあわされた第一の紙層と、該第一の紙層の表面に貼られたコア構造を有する第二の芯材と、該第二の芯材の表面に貼られた第二の紙層と、該第二の紙層の表面に貼られた化粧板とからなるパネル。
【請求項４】
コア構造を有する第一の芯材と、該第一の芯材の表面に貼られた第一の紙層と、該第一の紙層の表面に貼られた中間層と、該中間層の表面に貼られた第二の紙層と、該第二の紙層の表面に貼られた第二の芯材と、該第二の芯材の表面に貼られた第三の紙層と、該第三の紙層の表面に貼られた化粧板とからなるパネル。
【請求項５】
中間層と、該中間層の両表面に貼られた第一の紙層と、該第一の紙層の表面に貼られたコア構造を有する芯材と、該芯材の表面に貼られた第二の紙層と、該第二の紙層の表面に貼られた化粧板とからなるパネル。
【請求項６】
前記化粧板が、メラミン板である請求項１〜５のいずれか１項に記載のパネル。
【請求項７】
厚さ方向の端面に、エッジテープがさらに貼られてなる請求項１〜６のいずれか１項に記載のパネル。
【請求項８】
前記コア構造が、ペーパーハニカムパネルである請求項１〜７のいずれか１項に記載のパネル。
【発明の詳細な説明】
【技術分野】
【０００１】
本発明は、パネルに関する。さらに詳しくは、コア構造を有する芯材の表面に紙層が貼られ、さらに紙層の表面に化粧板が貼られたパネルであって、木材そのものをまったく用いることなく紙を主な由来とする原料のみを使用することにより環境にやさしく、かつ、化粧板表面に芯材の芯影が写ることがなく外観が美しく、軽量かつ充分な表面硬度を有し、キッチンの戸棚等に使用できるパネルに関する。
【背景技術】
【０００２】
従来、たとえばキッチンの戸板などには木材チップなど木質の原料が使用されることも多かったが、最近では、これらはバイオエネルギー源として着目され、価格が高騰するとともに、戸板等へ使用のためには入手困難な状況になりつつある。また、環境面への配慮から、戸板を始めとする種々の物品について木質の原料よりも、紙原料や生分解性原料を使用する傾向があるが、これらは木質の原料と比較して強度が劣ることが指摘されており、紙原料を使用した際に、戸板そのもの強度が劣るという問題があった。また、蝶番を介して戸板を戸棚に取り付ける際に、ビスの効きが悪いという問題があった。
【０００３】
そのため、戸板そのものの強度を高めるために、戸板の芯材としてハニカムコアなどのコア構造を有する芯材を採用することにより、戸板の表面硬度を高めることが提案されているが、かかる工夫により表面硬度を高めた場合であっても、蝶番を設置するためには、かかるコア構造の周囲に木質の芯材を配して、その木質の芯材にビス止め用の穴を開ける必要があり、結局は木質の原料を使用せざるを得なかった。
【０００４】
また、外観の見栄えを向上させるためには、コア構造を有する芯材の表面に、化粧板を貼り付ける場合があるが、その場合、コア構造の芯材の芯影が化粧板の表面に浮き上がり、かえって美観を損なうという欠点も指摘されていた。
【発明の開示】
【発明が解決しようとする課題】
【０００５】
本発明は、上記従来の問題を鑑みてなされたものであり、コア構造を有する芯材の周囲に木材そのものからなる芯材を配することなく、紙を主な由来とする原料のみを使用し、蝶番等の設置のためのビス止め強度を高めることができ、かつ、化粧板の表面に芯影が浮き上がることのない、環境にやさしくかつ設置の利便性に優れ、外観の見栄えの良いパネルを提供することを目的とする。
【課題を解決するための手段】
【０００６】
本発明にかかわるパネルは、コア構造を有する芯材と、該芯材の表面に貼られた紙層と、該紙層の表面に貼られた化粧板とからなることを特徴とする。
【０００７】
また、本発明にかかわるパネルは、１または複数重ねあわされた第一の紙層と、該第一の紙層の両表面に貼られた芯材と、該芯材の表面に貼られた第二の紙層と、該第二の紙層の表面に貼られた化粧板とからなることを特徴とする。
【０００８】
本発明にかかわるパネルは、コア構造を有する第一の芯材と、該芯材の両表面に貼られた１または複数重ねあわされた第一の紙層と、該紙層の表面に貼られたコア構造を有する第二の芯材と、該第二の芯材の表面に貼られた第二の紙層と、該第二の紙層の表面に貼られた化粧板とからなることを特徴とする。
【０００９】
本発明にかかわるパネルは、コア構造を有する第一の芯材と、該芯材の表面に貼られた第一の紙層と、該第一の紙層の表面に貼られた中間層と、該中間層の表面に貼られた第二の紙層と、該第二の紙層の表面に貼られた第二の芯材と、該第二の芯材の表面に貼られた第三の紙層と、該第三の紙層の表面に貼られた化粧板とからなることを特徴とする。
【００１０】
本発明にかかわるパネルは、中間層と、該中間層の両表面に貼られた第一の紙層と、該第一の紙層の表面に貼られたコア構造を有する芯材と、該芯材の表面に貼られた第二の紙層と、該第二の紙層の表面に貼られた化粧板とからなることを特徴とする。
【００１１】
前記化粧板が、メラミン板であることが好ましい。
【００１２】
また、本発明にかかわるパネルは、厚さ方向の端面に、エッジテープがさらに貼られてなることを特徴とする。
【００１３】
前記コア構造が、ハニカムコアであることが好ましい。
【発明の効果】
【００１４】
本発明にかかわるパネルによって、コア構造を有する芯材の周囲に木質の芯材を配することなく、紙を由来とする原料のみを使用し、蝶番等の設置のためのビス止め強度を高めることができ、かつ、コア構造を有する芯材の表面に芯影が浮き上がることのない、環境にやさしくかつ設置の利便性に優れ、外観の見栄えの良いパネルを提供することができる。
【発明を実施するための最良の形態】
【００１５】
本発明のパネルは、コア構造を有する芯材と、該芯材の表面に貼られた紙層と、該紙層の表面に貼られた化粧板とからなることを特徴とする。また、本発明の別の実施態様にかかわるパネルは、１または複数重ねあわされた第一の紙層と、該第一の紙層の両表面に貼られた芯材と、該芯材の表面に貼られた第二の紙層と、該第二の紙層の表面に貼られた化粧板とからなることを特徴とする。また、本発明の別の実施態様にかかわるパネルは、コア構造を有する第一の芯材と、該芯材の両表面に貼られた１または複数重ねあわされた第一の紙層と、該紙層の表面に貼られたコア構造を有する第二の芯材と、該第二の芯材の表面に貼られた第二の紙層と、該第二の紙層の表面に貼られた化粧板とからなることを特徴とする。また、本発明の別の実施態様にかかわるパネルは、コア構造を有する第一の芯材と、該芯材の表面に貼られた第一の紙層と、該第一の紙層の表面に貼られた中間層と、該中間層の表面に貼られた第二の紙層と、該第二の紙層の表面に貼られた第二の芯材と、該第二の芯材の表面に貼られた第三の紙層と、該第三の紙層の表面に貼られた化粧板とからなることを特徴とする。さらに、本発明の別の実施態様にかかわるパネルは、中間層と、該中間層の両表面に貼られた第一の紙層と、該第一の紙層の表面に貼られたコア構造を有する芯材と、該芯材の表面に貼られた第二の紙層と、該第二の紙層の表面に貼られた化粧板とからなることを特徴とする。
【００１６】
また、本発明にかかわるパネルは、厚さ方向の端面に、エッジテープがさらに貼られてなることを特徴とする。
【００１７】
図１は、本発明のパネルの一実施形態（実施例１）におけるパネルの断面図であり、図１（ａ）は、請求項１にかかるパネルの断面図であり、図１（ｂ）は、請求項１にかかるパネルに請求項７のエッジテープを貼り付けた状態の断面図である。図２は、本発明のパネルの一実施形態（実施例１）におけるパネルにビスを用いて蝶番を取り付けた状態の断面図であり、図２（ｂ）のパネルは、図２（ａ）のパネルよりも厚い紙層を用いた例である。図３は、本発明のパネルの一実施形態（実施例２）におけるパネルにビスを用いて蝶番を取り付けた状態の断面図であり、図３（ａ）は、第一の紙層が１枚の場合であり、図３（ｂ）は、第一の紙層が複数枚の場合である。図４は、本発明のパネルの一実施形態（実施例３）におけるパネルにビスを用いて蝶番を取り付けた状態の断面図である。図５は、本発明のパネルの一実施形態（実施例４）におけるパネルにビスを用いて蝶番を取り付けた状態の断面図である。図６は、本発明のパネルの一実施形態（実施例５）におけるパネルにビスを用いて蝶番を取り付けた状態の断面図である。図７は、本発明のパネルの一実施形態（実施例１）におけるパネルと蝶番との取り付けを説明するための斜視図である。
【００１８】
以下、実施例を参照しながら本発明のパネルをより詳細に説明するが、本発明はなんらこれらに限定されるものではない。
【００１９】
実施例１
実施例１のパネル１は、図１（ａ）に示されるように、コア構造を有する芯材２と、該芯材２の表面に貼られた紙層３と、該紙層３の表面に貼られた化粧板４とからなる。
【００２０】
前記芯材２の有するコア構造としては、ペーパーハニカムパネル、ハニカムコア、ロールコアなどの構造を採用することができ、その形状として、たとえば六角形、三角形、四角形など多角形のほかに円形など種々の断面形状を採用することができる。その材質としては、バージンパルプ紙、再生紙などを用いることができるが、環境面への配慮から、再生紙を用いることが好ましい。
【００２１】
また、コア構造を採用することにより厚さ方向への耐圧縮強度を高めることができる。図１（ａ）および図７に示されるように、コア構造は、断面六角形の扁平筒状セル２ａが、互いに密接するよう多数個配置されてなり、紙層３によって扁平筒状セル２ａの両端が挟まれている。これにより、厚さ方向へ力が加わった際に、荷重が各セルに分散するため、脆弱な再生紙などから構成されているにもかかわらず、パネル１の耐圧縮強度を高め、かつ軽量化も実現できる。また、特に、ペーパーハニカムパネルを採用した場合には、厚さ方向に非常に高い強度を付与できるほか、コア構造が閉塞された空間であるため、その中で空気の対流が生じにくく、パネル１の前後でほとんど温度、湿度が伝わらない。したがって、パネル１によって隔てた両空間において、温度、湿度の棲み分けが可能である。たとえば、パネル１をキッチンの戸棚の戸板として用いた場合、キッチンが高温多湿となった場合であっても、キッチン戸棚内部が高温多湿状態となることはなく、戸棚内部の衛生面に対する配慮が充分に可能である。
【００２２】
なお、コア構造を有する芯材２の厚さは、使用目的に応じて適宜設計することができるが、耐圧縮強度との関係で、８〜４０ｍｍのものが好ましい。８ｍｍよりも芯材２の厚さが小さい場合は、耐圧縮強度が劣る傾向があり、４０ｍｍよりも厚さを大きくする場合（たとえば１００ｍｍ）には、耐圧縮強度のあるペーパーハニカムパネルを必要な厚さになるだけ貼りあわせればよく、４０ｍｍよりも大きな厚さの芯材２を使用する必要性はない。
【００２３】
前記紙層３としては、ボール紙、紙管原紙や石膏ボード原紙などを用いることができる。紙層３は、後述の化粧板４を貼り付けるための基材となるとともに、貼り付け後の化粧板４表面に、芯材２の芯影が浮き上がることを防ぐことができる。
【００２４】
なお、紙層３と前記芯材２との貼り付け方法としては特に限定されないが、環境面への配慮から、生分解性の樹脂接着剤を使用することが好ましい。なお、生分解性とは、地中や水中のバクテリアによって自然に腐朽して、最終的に水、炭酸ガス、アンモニアなどに分解される性質をいう。
【００２５】
また、紙層３は、パネル１にビス５で蝶番６を蝶着する場合にビス５のぐら付きを防止するために重要である。すなわち、紙層３が薄すぎればビス５がぐら付くため、固定が不充分となり、蝶番６を堅固に取り付けることができない。紙層３の厚さとしては、０．５〜１．５ｍｍ程度が好ましく、０．５ｍｍ未満であれば、ビス５がぐら付くため固定が不安定であるとともに、芯材２の芯影が写る傾向がある。また、１．５ｍｍもあれば、ビス５のぐら付きを防ぐことができるとともに、芯材２の芯影が写ることを防ぐには充分な厚さであるため、それ以上の厚さにする必要はない。
【００２６】
なお、厚さの小さな紙層３を用いる場合であっても、図２（ｂ）に示されるように、複数枚（図２（ｂ）では紙層３が２枚の場合を例示）を重ね合わせることにより、ビス５のぐら付きや芯材２の芯影が写ることを防ぐこともできる。
【００２７】
前記化粧板４としては、メラミン板、ポリ板、フィルム化粧板、ＭＤＦ（中密度繊維板）などを例示することができるが、木目調の外観が美しく、かつ、紙で薄くて剛性が高いという点でメラミン板が特に好ましい。化粧板４の厚さは特に限定されるものではないが、一般には０．８〜５ｍｍ程度が好ましい。
【００２８】
化粧板４と紙層３との貼り付け方法としては特に限定されないが、前述と同様に、環境面への配慮から生分解性の樹脂接着剤を使用することが好ましい。
【００２９】
図１（ｂ）に示されるように、本実施例１のパネル１の厚さ方向の端面には、エッジテープ７を貼り付けることにより、さらなる美観の向上、コア構造内部への外気、湿気の流入防止を図ることができる。
【００３０】
エッジテープ７としては、ポリプロピレンなどのポリオレフィンおよび塩化ビニールからなるテープを用いることができる。また、エッジテープ７の貼り付け方法としては特に限定されないが、一般的には、エッジテープ７への糊付け機能、糊付けされたエッジテープ７の貼り付け機能を有する縁張機（エッジバンダー）を使用することができる。糊付けされたエッジテープ７は、化粧板４の端面、紙層３の端面、芯材２との端面（コア構造の切断面）に貼り付けられる。
【００３１】
実施例２
実施例２のパネル８は、図３（ａ）および（ｂ）に示されるように、１または複数重ねあわされた第一の紙層９ａと、該第一の紙層９ａの両表面に貼られたコア構造を有する芯材１０と、該芯材１０の表面に貼られた第二の紙層９ｂと、該第二の紙層９ｂの表面に貼られた化粧板１１とからなる。
【００３２】
実施例２のパネル８のように、紙層を増やし、かつ、蝶番１２を取り付ける際のビス１３を一定長さ以上（蝶番１２を固着した際に、ビス１３の先端が第一の紙層９ａを貫通するために必要な長さ以上）にすることにより、ビス１３を第一の紙層９ａと第二の紙層９ｂの両紙層とに挿通させることが可能となる。これにより、ビス１３は第一の紙層９ａとの固着部と、第二の紙層９ｂとの固着部と、化粧板１１との固着部とにより３個所で固定されるため、実施例１のパネル１におけるビス止めよりも、より強固に蝶番１２を止めることができ、その結果、蝶番１２のぐら付きを防ぐことができる。そのため、図２（ａ）に示されるような実施例１における紙層３のように比較的厚さの小さな紙層を用いた場合であっても、蝶番１２を充分に固定することが可能である。
【００３３】
より確実に蝶番１２を固定するためには、図３（ｂ）に示されるように、第一の紙層９ａを複数枚（図３（ｂ）では第一の紙層９ａが２枚の場合を例示）にしてもよく、第一の紙層９ａの枚数は適宜選択することができる。
【００３４】
なお、第一の紙層９ａおよび第二の紙層９ｂの原料、役割としては、実施例１の紙層３と同じであり、芯材１０および化粧板１１は、実施例１の芯材２および化粧板４と同様であり、これらの貼り付け方法についても同様のため説明を省略する。また、実施例１のパネル１と同様に、パネル８の厚さ方向の端面にエッジテープを施すことも可能である。
【００３５】
実施例３
実施例３のパネル１４は、図４に示されるように、コア構造を有する第一の芯材１５ａと、該第一の芯材１５ａの両表面に貼られた１または複数重ねあわされた第一の紙層１６ａと、該第一の紙層１６ａの表面に貼られたコア構造を有する第二の芯材１５ｂと、該第二の芯材１５ｂの表面に貼られた第二の紙層１６ｂと、該第二の紙層１６ｂの表面に貼られた化粧板１７とからなる。
【００３６】
実施例３のパネル１４のように、第一の芯材１５ａの厚さを大きくすることにより、種々の厚さのパネル１４を得ることができる。また、実施例３のパネル１４は、実施例２のパネル８と同様に、第一の紙層１６ａを１または複数とすることもできる。これにより、強固なビス止めを実現しつつ、パネル１４の厚さを自由に設計することができる。
【００３７】
なお、第一の紙層１６ａおよび第二の紙層１６ｂの原料、役割としては、実施例１の紙層３と同じであり、第一の芯材１５ａおよび第二の芯材１５ｂの原料、役割としては実施例１の芯材２と同じであり、さらに、化粧板１７は、実施例１の化粧板４と同様であり、これらの貼り付け方法についても同様のため説明を省略する。また、実施例１のパネル１と同様に、パネル１４の厚さ方向の端面にエッジテープを施すことも可能である。
【００３８】
実施例４
実施例４のパネル１８は、図５に示されるように、コア構造を有する第一の芯材１９ａと、該第一の芯材１９ａの表面に貼られた第一の紙層２０ａと、該第一の紙層２０ａの表面に貼られた中間層２１と、該中間層２１の表面に貼られた第二の紙層２０ｂと、該第二の紙層２０ｂの表面に貼られた第二の芯材１９ｂと、該第二の芯材１９ｂの表面に貼られた第三の紙層２０ｃと、該第三の紙層２０ｃの表面に貼られた化粧板２２とからなる。
【００３９】
実施例４のパネル１８のように、中間層２１を設けることにより、パネル１８そのものの強度を挙げることができるとともに、より強固なビス止めが可能となる。
【００４０】
その際、ビス２３を一定長さ以上（蝶番２４を固着した際に、ビス２３の先端が第二の紙層２０ｂを挿通し、中間層２１に至る長さを有することが好ましく、ビス２３の先端が中間層２１を挿通し、さらに第一の紙層２０ａをも挿通するために必要な長さ以上であることが特に好ましい）にすることにより、ビス２３を第一の紙層２０ａと中間層２１、第二の紙層２０ｂおよび第三の紙層２０ｃを挿通させることが可能となる。これにより、ビス２３は第一の紙層２０ａとの固着部と、中間層２１との固着部と、第二の紙層２０ｂとの固着部と、第三の紙層２０ｃとの固着部と、化粧板２２との固着部とにより５個所で固定されるため、実施例１のパネル１や実施例２のパネル８におけるビス止めよりも、さらに強固に蝶番２４を止めることができ、その結果、蝶番２４のぐら付きを防ぐことができる。
【００４１】
中間層２１としては、厚さが約１．０〜３．０ｍｍ程度のものを選択することが好ましく、たとえば針葉樹合板であるシナ合板や、広葉樹合板であるラワン合板、ポプラ合板、ＭＤＦ、パーチクルボード、メラミンバッカー等を用いることができる。
【００４２】
中間層２１と第一の紙層２０ａおよび中間層２１と第二の紙層２０ｂとの貼り付け方法としては特に限定されないが、前述と同様に、環境面への配慮から生分解性の樹脂接着剤を使用することが好ましい。
【００４３】
なお、第一の紙層２０ａ、第二の紙層２０ｂおよび第三の紙層２０ｃの原料、役割としては、実施例１の紙層３と同じであり、第一の芯材１９ａおよび第二の芯材１９ｂの原料、役割としては実施例１の芯材２と同じであり、さらに、化粧板２２は、実施例１の化粧板４と同様であり、これらの貼り付け方法についても同様のため説明を省略する。また、実施例１のパネル１と同様に、パネル１８の厚さ方向の端面にエッジテープを施すことも可能である。
【００４４】
実施例５
実施例５のパネル２５は、図６に示されるように、中間層２６と、該中間層２６の両表面に貼られた第一の紙層２７ａと、該第一の紙層２７ａの表面に貼られたコア構造を有する芯材２８と、該芯材２８の表面に貼られた第二の紙層２７ｂと、該第二の紙層２７ｂの表面に貼られた化粧板２９とからなる。
【００４５】
なお、第一の紙層２７ａおよび第二の紙層２７ｂの原料、役割としては、実施例１の紙層３と同じであり、芯材２８の原料、役割としては実施例１の芯材２と同じであり、化粧板２９は、実施例１の化粧板４と同様であり、さらに、中間層２６の原料、役割としては、実施例４の中間層２１と同じであり、これらの貼り付け方法についても同様のため説明を省略する。また、実施例１のパネル１と同様に、パネル２５の厚さ方向の端面にエッジテープを施すことも可能である。
【００４６】
なお、実施例１〜５では、蝶番の固着手段としてビスを用いた場合を例示したが、本発明の固着手段はこれに限定されるものではなく、各種固着手段を採用することができる。
【００４７】
また、蝶番としては、一般的な平蝶番を例示したが、本発明に使用できる蝶番としてはこれに限定されるものではなく、種々の蝶番を使用することができる。たとえば、スライドヒンジを使用する場合には、スライドヒンジの一方（カップ部）を装着するためのカップをパネル側に開けスライドヒンジを固着した上で、スライドヒンジの他方を設置先の戸棚の枠体に固着すればよい。
【００４８】
以上、本発明のパネルによれば、コア構造を有する芯材の周囲に木材そのものからなる芯材を配することなく、紙を主な由来とする原料のみを使用し、蝶番等の設置のためのビス止め強度を高めることができ、かつ、化粧板の表面に芯影が浮き上がることのない、環境にやさしくかつ設置の利便性に優れ、外観の見栄えの良いパネルを提供することができる。
【図面の簡単な説明】
【００４９】
【図１】本発明のパネルの一実施形態（実施例１）におけるパネルの断面図である。
【図２】本発明のパネルの一実施形態（実施例１）におけるパネルにビスを用いて蝶番を取り付けた状態の断面図である。
【図３】本発明のパネルの一実施形態（実施例２）におけるパネルにビスを用いて蝶番を取り付けた状態の断面図である。
【図４】本発明のパネルの一実施形態（実施例３）におけるパネルにビスを用いて蝶番を取り付けた状態の断面図である。
【図５】本発明のパネルの一実施形態（実施例４）におけるパネルにビスを用いて蝶番を取り付けた状態の断面図である。
【図６】本発明のパネルの一実施形態（実施例５）におけるパネルにビスを用いて蝶番を取り付けた状態の断面図である。
【図７】本発明のパネルの一実施形態（実施例１）におけるパネルと蝶番との取り付けを説明するための斜視図である。
【符号の説明】
【００５０】
１、８、１４、１８、２５  パネル
２、１０、２８  芯材
３  紙層
４、１１、１７、２２、２９  化粧板
５、１３、２３  ビス
６、１２、２４  蝶番
７  エッジテープ
９ａ、１６ａ、２０ａ、２７ａ  第一の紙層
９ｂ、１６ｂ、２０ｂ、２７ｂ  第二の紙層
１５ａ、１９ａ  第一の芯材
１５ｂ、１９ｂ  第二の芯材
２０ｃ  第三の紙層
２１、２６  中間層
【図１】
2010106497.tif 000003
【図２】
2010106497.tif 000004
【図３】
2010106497.tif 000005
【図４】
2010106497.tif 000006
【図５】
2010106497.tif 000007
【図６】
2010106497.tif 000008
【図７】
2010106497.tif 000009